(57)【要約】【課題】シートベースおよびベルト位置決めシートを含む子供用セーフティシートを提供すること。【解決手段】シートベースは、車両シート上の配置に適した底面、およびシートベースの上面から上方に突出する２つのひじ掛けを有する。ベルト位置決めシートは、２つのひじ掛けの間でシートベースの受け入れ領域に設置可能であり、かつ、単独で使用するために該シートベースから取り外し可能であり、ベルト位置決めシートは、車両シート上に配置されるように適応される底面を有するシート本体、およびシート本体と接続されるベルトガイドを含み、ベルトガイドは、シート本体から上方に突出する配備位置、およびシート本体における格納用空洞にしまい込まれる格納位置を有し、ベルト位置決めシートは、格納位置においてベルトガイドと共にシートベースの受け入れ領域に配置される。【選択図】図１
2018111492.tif 000002
【特許請求の範囲】
【請求項１】
車両シート上の配置に適した底面を有するシートベースであって、前記シートベースの上面から上方に突出する２つのひじ掛け、および、前記２つのひじ掛けの間の受け入れ領域を有する、シートベースと、
前記シートベースの前記受け入れ領域に設置可能であり、かつ、単独で使用するために前記シートベースから取り外し可能であるベルト位置決めシートであって、車両シート上に配置されるように適応される底面を有するシート本体、および前記シート本体と接続されるベルトガイドを含み、前記ベルトガイドは、前記シート本体から上方に突出する配備位置、および前記シート本体に設けられる格納用空洞にしまい込まれる格納位置を有し、前記ベルト位置決めシートは、前記格納位置において前記ベルトガイドと共に前記シートベースの前記受け入れ領域に配置される、ベルト位置決めシートと、を備える、
子供用セーフティシート。
【請求項２】
前記ベルトガイドは、拘束ベルトを通すためのベルト用細穴を含み、前記ベルト用細穴は、前記拘束ベルトのねじれを防止するような寸法に作られ、かつ、前記拘束ベルトを前記ベルト用細穴に挿入するために前記ベルトガイドの前縁に前部開口部を有し、前記前部開口部は、前記前縁ではより大きく、前記ベルト用細穴の内部に向かって狭いテーパ状であることを特徴とする、請求項１に記載の子供用セーフティシート。
【請求項３】
前記ベルト用細穴は後端をさらに有し、前記ベルト用細穴の前記後端は、前記ベルトガイドが前記配備位置にある時、前記前部開口部より高く位置することを特徴とする、請求項２に記載の子供用セーフティシート。
【請求項４】
前記ベルトガイドは拘束ベルトを通すためのベルト孔を含み、前記ベルトガイドの前縁は拘束ベルトを前記ベルト孔に挿入するためのスリットを有することを特徴とする、請求項１に記載の子供用セーフティシート。
【請求項５】
前記ベルトガイドは前記シート本体と旋回可能に接続され、前記ベルトガイドは前記配備位置と前記格納位置との間で前記シート本体に対して回転可能であることを特徴とする、請求項１〜４のうちいずれか一項に記載の子供用セーフティシート。
【請求項６】
前記格納用空洞は前記シート本体の前記底面に設けられ、前記ベルトガイドは前記格納用空洞において受けられるように前記底面の方へ回転可能であることを特徴とする、請求項５に記載の子供用セーフティシート。
【請求項７】
前記ベルト位置決めシートは、前記シート本体と固定して接続される引っ掛け部、および、前記シート本体と旋回可能に接続されるコネクタをさらに備え、前記ベルト位置決めシートは、前記シートベースと係合した前記引っ掛け部、および下方に突出し、かつ前記シートベース上に設けられる固着用細穴に少なくとも部分的に受けられる前記コネクタと共に、前記シートベース上に設置可能であることを特徴とする、請求項１〜６のうちいずれか一項に記載の子供用セーフティシート。
【請求項８】
前記引っ掛け部は前記シート本体とその後端で固定して接続されることを特徴とする、請求項７に記載の子供用セーフティシート。
【請求項９】
前記ベルト位置決めシートは、前記シートベースに取り付けるために前記シート本体と旋回可能に接続されるコネクタをさらに含み、前記コネクタは、前記コネクタが前記シート本体にしまい込まれる格納位置と、前記コネクタが前記シート本体の前記底面から下方に突出する配備位置との間で回転可能であることを特徴とする、請求項１〜６のうちいずれか一項に記載の子供用セーフティシート。
【請求項１０】
前記ベルト位置決めシートは、前記シート本体の前記底面から下方に突出し、かつ前記シートベース上に設けられた固着用細穴に少なくとも部分的に受けられる前記コネクタと共に前記シートベース上に設置可能であり、前記シートベースは、前記コネクタが前記シートベースの前記固着用細穴において少なくとも部分的に受けられる時、前記コネクタと係合するように作用可能である掛け金をさらに含むことを特徴とする、請求項９に記載の子供用セーフティシート。
【請求項１１】
前記シートベースは前記掛け金と接続される解除部分をさらに含み、前記解除部分は、前記ベルト位置決めシートを前記シートベースから取り外すために前記掛け金が前記コネクタから外れるように作用可能であることを特徴とする、請求項１０に記載の子供用セーフティシート。
【請求項１２】
前記受け入れ領域は、前記シートベースの前記上面に設けられる位置決め用空洞を含むことを特徴とする、請求項１〜１１のうちいずれか一項に記載の子供用セーフティシート。
【請求項１３】
前記受け入れ領域は前記シートベースの下面に設けられる空洞を含むことを特徴とする、請求項１〜１１のうちいずれか一項に記載の子供用セーフティシート。
【請求項１４】
前記ベルト位置決めシートは、前記ベルトガイドを通して設置されるベルトに連結するように作用可能であるベルトポジショナーをさらに含み、前記ベルトポジショナーは、前記シート本体に設けられた格納室に位置決め可能であり、かつ使用のために前記シート本体の外部に配備可能であることを特徴とする、請求項１〜１３のうちいずれか一項に記載の子供用セーフティシート。
【請求項１５】
前記シート本体は板状であることを特徴とする、請求項１〜１４のうちいずれか一項に記載の子供用セーフティシート。
【請求項１６】
前記シートベースに対する取り付けおよび分離を行うように作用可能な背もたれをさらに備える、請求項１〜１５のうちいずれか一項に記載の子供用セーフティシート。
【請求項１７】
子供用セーフティシートに組み込み可能であり、かつ単独で使用するために分離可能であるベルト位置決めシートであって、
板状であり、車両シート上に配置されるように適応される底面を有するシート本体と、
前記シート本体と接続されるベルトガイドであって、前記シート本体から上方に突出する配備位置、および前記シート本体に設けられる格納用空洞にしまい込まれる格納位置を有し、前記ベルト位置決めシートは、前記格納位置において前記ベルトガイドと共に子供用セーフティシートに組み込み可能である、ベルトガイドと、
子供用セーフティシートにおいて前記ベルト位置決めシートを取り付けるために前記シート本体と接続される連結構造と、を備える、
ベルト位置決めシート。
【請求項１８】
前記ベルトガイドは、拘束ベルトの配置を受けるように構成されるベルト用細穴を含み、前記ベルト用細穴は、拘束ベルトを前記ベルト用細穴に挿入するための、前記ベルトガイドの前縁における前部開口部を有し、前記前部開口部は、前記前縁ではより大きく、前記ベルト用細穴の内部に向かって狭いテーパ状であることを特徴とする、請求項１７に記載のベルト位置決めシート。
【請求項１９】
前記ベルト用細穴は後端をさらに有し、前記ベルト用細穴の前記後端は、前記ベルトガイドが前記配備位置にある時に前記前部開口部より高く位置することを特徴とする、請求項１８に記載のベルト位置決めシート。
【請求項２０】
前記ベルトガイドは、拘束ベルトを通すためのベルト孔を含み、前記ベルトガイドの前縁は、拘束ベルトを前記ベルト孔に挿入するためのスリットを有することを特徴とする、請求項１７に記載のベルト位置決めシート。
【請求項２１】
前記ベルトガイドは前記シート本体と旋回可能に接続されることを特徴とする、請求項１７〜２０のうちいずれか一項に記載のベルト位置決めシート。
【請求項２２】
前記格納用空洞は前記シート本体の前記底面に設けられ、前記ベルトガイドは前記格納用空洞において受けられるように前記底面の方へ回転可能であることを特徴とする、請求項２１に記載のベルト位置決めシート。
【請求項２３】
前記連結構造は、子供用セーフティシートのシートベースに取り付けるために前記シート本体と旋回可能に接続されるコネクタを備え、前記コネクタは、前記コネクタが前記シート本体にしまい込まれる格納位置と、前記コネクタが前記シート本体の前記底面から下方に突出する配備位置との間で回転可能であることを特徴とする、請求項１７〜２２のうちいずれか一項に記載のベルト位置決めシート。
【請求項２４】
前記連結構造は、前記シート本体とこの外縁で固定して接続される引っ掛け部を備えることを特徴とする、請求項１７〜２２のうちいずれか一項に記載のベルト位置決めシート。
【請求項２５】
前記連結構造は、前記シート本体と固定して接続される引っ掛け部、および、前記シート本体と旋回可能に接続されるコネクタを備え、前記ベルト位置決めシートは、前記シートベースと係合した前記引っ掛け部、および下方に突出し、かつ子供用セーフティシートのシートベース上に設けられる固着用細穴に少なくとも部分的に受けられる前記コネクタと共に、前記シートベース上に設置可能であることを特徴とする、請求項１７〜２２のうちいずれか一項に記載のベルト位置決めシート。
【請求項２６】
前記引っ掛け部は前記シート本体とその後端で固定して接続されることを特徴とする、請求項２５に記載のベルト位置決めシート。
【請求項２７】
前記ベルトガイドを通して設置されるベルトに連結されるように作用可能であるベルトポジショナーをさらに備え、前記ベルトポジショナーは、前記シート本体に設けられた格納室に位置決め可能であり、かつ使用のために前記シート本体の外部に配備可能である、請求項１７〜２６のうちいずれか一項に記載のベルト位置決めシート。
【請求項２８】
前記ベルトガイドは、前記シート本体の一側に略平行である旋回軸を中心に前記シート本体と旋回可能に接続されることを特徴とする、請求項１７〜２７のうちいずれか一項に記載のベルト位置決めシート。
【請求項２９】
板状であり、車両シート上に配置されるように適応される底面を有するシート本体と、
前記シート本体と接続されるベルトガイドであって、前記シート本体から上方に突出する配備位置、および前記シート本体に設けられる格納用空洞にしまい込まれる格納位置を有し、前記格納用空洞は前記シート本体の前記底面に設けられる、ベルトガイドと、を備える、
ベルト位置決めシート。
【請求項３０】
前記ベルトガイドを通して設置されるベルトに連結するように作用可能であるベルトポジショナーをさらに備え、前記ベルトポジショナーは、前記シート本体に設けられた格納室に位置決め可能であり、かつ使用のために前記シート本体の外部に配備可能である、請求項２９に記載のベルト位置決めシート。
【請求項３１】
前記ベルトポジショナーは車両シートベルトの肩掛けベルトに連結するように作用可能であることを特徴とする、請求項３０に記載のベルト位置決めシート。
【発明の詳細な説明】
【技術分野】
【０００１】
本発明は、子供用セーフティシートに関する。
【背景技術】
【０００２】
現在市販されている多くのブースターシート製品は、ブースターシートと、子供の成長に応じて背もたれのないブースターシートに変換できる取り外し可能背もたれとの組み合わせとして販売されている。ブースターシートに座らせるべき子供の法的年齢要件は増加し続けており、現在のブースターシートは１０歳までの子供達に対して定められている。
子供は、１０歳には、種々の介助者によって運ばれることが可能である。例えば、親が子供を学校で降ろし、別の介助者がその子供を放課後車で迎えに行く場合がある。既存のブースターシートは通常、大きくかさばるため、子供がブースターシートを運搬することは困難である、または介助者が複数のブースターシートを購入する必要がある。
【０００３】
従って、費用効率が高い製造が可能であり、かつ、少なくとも前述の問題点に対処することが可能である改良された子供用セーフティシートに対する必要性がある。
【発明の概要】
【発明が解決しようとする課題】
【０００４】
本願は、子供の年齢に従って異なる使用配置構成に柔軟に変換可能にできる子供用セーフティシートについて記載している。
子供用セーフティシートは、シートベースおよびベルト位置決めシートを含む。シートベースは、車両シート上の配置に適した底面、シートベースの上面から上方に突出する２つのひじ掛け、および、２つのひじ掛けの間の受け入れ領域を有する。ベルト位置決めシートは、シートベースの受け入れ領域に設置可能であり、かつ、単独で使用するためにシートベースから取り外し可能であり、ベルト位置決めシートは、車両シート上に配置されるように適応される底面を有するシート本体、およびシート本体と接続されるベルトガイドを含み、ベルトガイドは、シート本体から上方に突出する配備位置、およびシート本体に設けられる格納用空洞にしまい込まれる格納位置を有し、ベルト位置決めシートは、格納位置においてベルトガイドと共にシートベースの受け入れ領域に配置される。
【課題を解決するための手段】
【０００５】
さらに、本願は、子供用セーフティシートに組み込み可能であり、かつ単独で使用するために分離可能であるベルト位置決めシートを提供する。
ベルト位置決めシートは、板状のシート本体と、シート本体と接続されるベルトガイドと、子供用セーフティシートにおいてベルト位置決めシートを取り付けるためにシート本体と接続される連結構造とを含む。シート本体は、車両シート上に配置されるように適応される底面と、シート本体と接続されるベルトガイドとを有し、ベルトガイドは、シート本体から上方に突出する配備位置、およびシート本体に設けられる格納用空洞にしまい込まれる格納位置を有し、ベルト位置決めシートは、格納位置においてベルトガイドと共に子供用セーフティシートに組み込み可能である。
【図面の簡単な説明】
【０００６】
【図１】シートベース、ベルト位置決めシート、および背もたれを含む子供用セーフティシートの一実施形態を示す前部斜視図である。
【図２】図１に示される子供用セーフティシートの後部斜視図である。
【図３】背もたれだけを示す斜視図である。
【図４】背もたれのないブースターシートを形成するためにシートベース上に設置されるベルト位置決めシートを示す前部斜視図である。
【図５】背もたれのないブースターシートを形成するためにシートベース上に設置されるベルト位置決めシートを示す後部斜視図である。
【図６】シートベースだけを示す斜視図である。
【図７】異なる配置構成のベルト位置決めシートだけを示す斜視図である。
【図８】異なる配置構成のベルト位置決めシートだけを示す斜視図である。
【図９】異なる配置構成のベルト位置決めシートだけを示す斜視図である。
【図１０】異なる配置構成のベルト位置決めシートだけを示す斜視図である。
【図１１】シートベースと組み付けたベルト位置決めシートを示す断面図である。
【図１２】シートベースの別形構成を示す斜視図である。
【図１３】ベルト位置決めシート上に設けられるベルトガイドの違った別形構成を示す概略図である。
【図１４】ベルト位置決めシートをシートベースに位置決めする別形配置構成を示す斜視図である。
【発明を実施するための形態】
【０００７】
図１〜図１１は、子供用セーフティシート１００の一実施形態を示すさまざまな概略図である。子供用セーフティシート１００は、シートベース１０４およびベルト位置決めシート１０６から成るシート部１０２と、頭支え１１０を有する背もたれ１０８とを含むことが可能である。
子供用セーフティシート１００は、この上に受けられる子供の年齢に従って異なる使用配置構成を有することが可能である。例えば、背もたれ１０８は、年少の子供を座らせるためにシートベース１０４に取り付け可能であり、かつ、シートベース１０４、およびこの上に配設されたベルト位置決めシート１０６が、年長の子供を座らせるためのブースターシートを形成できるように、シートベース１０４から分離可能である。子供がさらに成長すると、ベルト位置決めシート１０６は、車両シートに子供を座らせるために単独で使用するためにシートベース１０４から取り外し可能である。
図１および図２は、子供用セーフティシート１００全体を形成するために組み付けられる、シートベース１０４、ベルト位置決めシート１０６、および背もたれ１０８を示す、前部斜視図および後部斜視図である。図３は、背もたれ１０８だけを示す斜視図である。図４および図５は、背もたれ１０８のないブースターシートを形成するためにシートベース１０４上に設置されるベルト位置決めシート１０６を示す前部斜視図および後部斜視図である。図６は、シートベース１０４だけを示す斜視図である。図７〜図１０は、ベルト位置決めシート１０６だけを示す斜視図である。図１１は、シートベース１０４と組み付けたベルト位置決めシート１０６を概略的に示す部分断面図である。
【０００８】
図１〜図６を参照する。シートベース１０４は、車両シート上の配置に適した底面１１２、およびシートベース１０４の上面１１６から上方に突出する２つのひじ掛け１１４を有することが可能である。構成の一例によると、シートベース１０４は、例えば、剛性シェル本体１１８を含むことが可能であり、底面１１２および上面１１６はシェル本体１１８の２つの相対する表面であってよく、２つのひじ掛け１１４は、シェル本体１１８とこの左側および右側で固定して接続可能である。シェル本体１１８およびひじ掛け１１４は、限定しないがプラスチックを含むことが可能である剛性材料から作られてよい。さらに、シェル本体１１８の左側および右側は、カップホルダといった、対応して接続される物品容器１１９であってよい。
【０００９】
図２および図５により良く示されるように、シェル本体１１８の後部は、車両シート上に設けられる固定された固着構造に取り付けるための複数のコネクタ１２０を含むことが可能である。コネクタ１２０は、例えばＩＳＯＦＩＸコネクタとすることが可能である。
背もたれ１０８をシートベース１０４に取り付けるために、シェル本体１１８の後部は、１つまたは複数の横棒１２１をさらに含むことが可能であり、背もたれ１０８の下端は、横棒１２１を留めるように作用可能である１つまたは複数の留め金具１２３を含むことが可能である。背もたれ１０８は、留め金具１２３を横棒１２１と係合することによって、シートベース１０４に取り付け可能であり、留め金具１２３を横棒１２１から外すことによってシートベース１０４から分離可能である。
【００１０】
図５を参照する。一実施形態によると、シートベース１０４は、綱１１７を介してシェル本体１１８に連結されるベルトポジショナー１１５をさらに含むことが可能である。ベルトポジショナー１１５は、ベルトを通すためのベルト孔１１５Ａ、およびベルト孔１１５Ａにベルトを挿入するためのスリット１１５Ｂを有してよい。
使用時に、ベルトポジショナー１１５は、車両シートベルトの肩掛けベルトに連結されてよい。使用されない時、ベルトポジショナー１１５は車両シートベルトの肩掛けベルトから分離可能である。使用されないベルトポジショナー１１５は、シートベース１０４上に設けられた格納室１２２に格納可能である。例えば、格納室１２２は、シートベース１０４のシェル本体１１８の後部に設けられてよい。
【００１１】
図１および図４〜図６を参照する。シートベース１０４は、ベルト位置決めシート１０６を少なくとも部分的に受けるように構成される２つのひじ掛け１１４の間の受け入れ領域１２４を有することが可能である。
構成の一例によると、受け入れ領域１２４は、シートベース１０４の上面１１６に設けられる（図６により良く示される）位置決め用空洞１２４Ａを含むことが可能である。位置決め用空洞１２４Ａは、ベルト位置決めシート１０６の空洞と実質的に適合する寸法を有してよい。例えば、位置決め用空洞１２４Ａは、ベルト位置決めシート１０６の幅と実質的に適合した幅Ｗ、および、ベルト位置決めシート１０６の長さと実質的に適合した長さＬを有することが可能である。さらに、位置決め用空洞１２４Ａの深さＤは、ベルト位置決めシート１０６の厚さと実質的に適合可能である。このように、ベルト位置決めシート１０６は位置決め用空洞１２４Ａにぴったりとフィット可能である。
【００１２】
図１および図４〜図６に示される例では、位置決め用空洞１２４Ａはシートベース１０４の前部で開放され、これによって、ベルト位置決めシート１０６の取り外しおよび／または配置のために位置決め用空洞１２４Ａの内部への進入を容易にできる。しかしながら、他の配置構成が可能であることは理解されるであろう。
例えば、図１２のように、位置決め用空洞１２４Ａが位置決め用空洞１２４Ａにおけるベルト位置決めシート１０６の水平移動を防止する側壁によって全体的に取り囲まれてよく、それによって、ベルト位置決めシート１０６は、垂直方向での、位置決め用空洞１２４Ａでの設置および該空洞からの取り外しのみが可能になる。
【００１３】
図７〜図１０を参照する。ベルト位置決めシート１０６は、シートベース１０４の受け入れ領域１２４において設置可能であり、かつ、車両シートに子供を座らせるための単独に使用するためにシートベース１０４から取り外し可能である。一実施形態によると、ベルト位置決めシート１０６はシート本体１２６および２つのベルトガイド１２８を含むことが可能である。
【００１４】
シート本体１２６は、子供を座らせることが可能である上面１３０、および、ベルト位置決めシート１０６が単独で使用される時に車両シート上に配置されるように適応される底面１３２を有することが可能である。
シート本体１２６は、形状およびサイズをコンパクトにして、シートベース１０４の受け入れ領域１２４におけるこの携帯性および配置を助長することが可能である。例えば、シート本体１２６はシートベース１０４より小さい寸法を有する板状とすることが可能である。構成の一例によると、シート本体１２６は、限定しないがプラスチックを含むことが可能である剛性材料から作られてよい。
【００１５】
ベルト位置決めシート１０６が車両シート上で単独で使用される時、２つのベルトガイド１２８は、拘束ベルト（例えば、車両シートベルト）を横断させるようにガイドするために使用される。一実施形態によると、２つのベルトガイド１２８は、シート本体１２６の左側および右側に略平行とすることが可能である２つの旋回軸１３４を中心にシート本体１２６の左側および右側と旋回可能にそれぞれ接続できる。ベルトガイド１２８は、例えばプラスチックを含むことが可能である剛性材料、および金属材料などから作られることが可能である。
シート本体１２６の左側および右側のそれぞれのベルトガイド１２８は、ベルトガイド１２８が、使用するためにシート本体１２６の上面１３０の上で上方に突出できる（図９に示される）配備位置と、ベルトガイド１２８がシート本体１２６に設けられた格納用空洞１３６にしまい込まれることが可能である（図８に示される）格納位置との間で、シート本体１２６に対して回転できる。例えば、格納用空洞１３６は、シート本体１２６の底面１３２に設けられることが可能であり、ベルトガイド１２８は、格納用空洞１３６において受けられるように底面１３２の方へ回転可能である。ベルト位置決めシート１０６は、格納位置で２つのベルトガイド１２８と共にシートベース１０４の受け入れ領域１２４に配置可能である。
【００１６】
図８〜図１０を参照する。２つのベルトガイド１２８は同じ構造を有することが可能である。例えば、それぞれのベルトガイド１２８は、拘束ベルト（例えば、車両シートベルト）の配置を受けるように構成されるベルト孔１３８を有することが可能である。ベルト孔１３８は、シート本体１２６の後端１２６Ａに対して前方位置に配設される。
ベルトガイド１２８の前縁１４０は、拘束ベルトをベルト孔１３８に挿入するためのスリット１４２Ａを有することが可能である。スリット１４２Ａは、受けられる拘束ベルトをベルト孔１３８が制限できるようにベルト孔１３８より狭い。ベルトガイド１２８が配備位置にある時、ベルト孔１３８は傾斜した外形を有してよく、それによって、ベルト孔１３８の後端１４２Ｂはスリット１４２Ａより高く、かつ、シート本体１２６の後端１２６Ａに対して前方位置に位置決めされる。
【００１７】
図１３は、ベルトガイド１２８の別の適した構成を示す概略図である。図１３に示されるベルトガイド１２８は、先に説明されたベルト孔１３８ではなく、拘束ベルトの配置を受けるように構成されるベルト用細穴１３８’を有することが可能である。
ベルト用細穴１３８’は、ベルトガイド１２８の前縁１４０における前部開口部１４２Ａ’、および閉鎖された後端１４２Ｂ’を有することが可能である。ベルト用細穴１３８’は、配置される拘束ベルトのねじれを防止するように狭くてよい。前部開口部１４２Ａ’は、ベルトガイド１２８の前縁１４０ではより大きく、ベルト用細穴１３８’の内部に向かって狭いテーパ状とすることが可能であり、それによって、拘束ベルトの挿入を容易にする。ベルト用細穴１３８’の後端１４２Ｂ’は、前部開口部１４２Ａ’より高く、かつベルトガイド１２８が配備位置にある時にシート本体１２６の後端１２６Ａに対して前方位置に位置することが可能である。
【００１８】
使用中、２つのベルトガイド１２８は、ベルト位置決めシート１０６に座る子供の大腿部に対して前方下に拘束ベルトを位置決めできる。それによって、拘束ベルトは、効果的な保護をもたらすより適したやり方で、子供に対して交差するように巻き付け可能である。
【００１９】
図１０を参照する。ベルト位置決めシート１０６は、ベルトガイド１２８を通して設置される拘束ベルトに連結するように作用可能であるベルトポジショナー１４６をさらに含むことが可能である。ベルトポジショナー１４６は、シートベース１０４のベルトポジショナー１１５と同様であってよく、ベルトを通すためのベルト孔１４６Ａ、およびベルトをベルト孔１４６Ａに挿入するためのスリット１４６Ｂを含んでよい。さらに、ベルトポジショナー１４６は、典型的なひもであってよい綱１４７によって、ベルト位置決めシート１０６のシート本体１２６に連結可能である。
使用時に、ベルトポジショナー１４６は、シート本体１２６の外部に配備可能であり、車両シートベルトの肩掛けベルトに連結される。使用されない時、ベルトポジショナー１４６は車両シートベルトの肩掛けベルトから分離されてよい。使用されないベルトポジショナー１４６および綱１４７は、シート本体１２６に設けられた格納室１４８に配置されてよい。格納室１４８はシート本体１２６の底部に設けられてよい。シート本体１２６と接続される旋回式カバー１５０は、格納室１４８を開閉するように作用可能であってよい。
【００２０】
図６〜図１０を参照する。ベルト位置決めシート１０６は、ベルト位置決めシート１０６をシートベース１０４に取り付けるための連結構造１５１をさらに含むことが可能である。一実施形態によると、連結構造１５１は、シート本体１２６とこの外縁で固定して接続される引っ掛け部１５２、および、シート本体１２６と連結されるコネクタ１５４を含むことが可能である。例えば、引っ掛け部１５２は、シート本体１２６の後端１２６Ａと固定して接続可能であり、コネクタ１５４は、引っ掛け部１５２に対して前方位置でシート本体１２６と連結可能である。
構成の一例によると、引っ掛け部１５２は突出するへりとして形成されてよい。構成の一例によると、コネクタ１５４は、シート本体１２６と移動可能に接続される一体部分として設けられてよい。例えば、コネクタ１５４は、シート本体１２６と旋回可能に接続でき、コネクタ１５４がシート本体１２６にしまい込まれる格納位置と、コネクタ１５４がシート本体１２６の底面１３２から下方に突出する配備位置との間でシート本体１２６に対して回転可能である。構成の一例によると、シート本体１２６の底面１３２は、空洞１５６を含むことが可能であり、コネクタ１５４は、格納位置で空洞１５６において少なくとも部分的に受けられてよい。
【００２１】
図４〜図１１を参照する。ベルト位置決めシート１０６がシートベース１０４の受け入れ領域１２４に設置される時、引っ掛け部１５２はシートベース１０４上に設けられた対応する構造と係合できる。例えば、引っ掛け部１５２は、シートベース１０４上に設けられた（図６により良く示される）開口部１５８と係合可能である。開口部１５８は、典型的には、位置決め用空洞１２４Ａの後部側壁を通して形成されてよい。
さらに、下方に突出するベルト位置決めシート１０６のコネクタ１５４は、シートベース１０４の（図６により良く示される）固着用細穴１６０に少なくとも部分的に受けられることが可能である。例えば、固着用細穴１６０は、ベルト位置決めシート１０６が配置かつ支持可能である位置決め用空洞１２４Ａの主要面１６２上で開放されてよい。コネクタ１５４は固着用細穴１６０において少なくとも部分的に受けられるが、シートベース１０４に設けられる（図１１により良く示される）掛け金１６４は、ベルト位置決めシート１０６をシートベース１０４と共に保持するように、コネクタ１５４と係合できる。
【００２２】
図６および図１１を参照する。掛け金１６４は、シートベース１０４のシェル本体１１８と移動可能に組み付けられる。例えば、掛け金１６４はシェル本体１１８と摺動可能に接続されてよく、それによって、掛け金１６４は、コネクタ１５４上に設けられた（図１０により良く示される）開口部１５４Ａと係合するように後方に摺動でき、かつ、コネクタ１５４から外れるように前方に摺動できる。
さらに、シートベース１０４は、それぞれ掛け金１６４と接続されるばね１６６および解除部分１６８を含むことが可能である。ばね１６６は、シートベース１０４のシェル本体１１８、および掛け金１６４とそれぞれ接続される２つの端部を有することが可能である。解除部分１６８は、シートベース１０４の前側で露出可能であり、シェル本体１１８と摺動可能に接続できる。解除部分１６８は、ベルト位置決めシート１０６をシートベース１０４から取り外すためにコネクタ１５４から外れるように移動させるために、掛け金１６４を押し動かすように作用可能である。
【００２３】
子供用セーフティシート１００を異なる使用配置構成に変換するための典型的な作用について、図１〜図１１を参照して以降で説明する。
年少の子供を座らせるために、背もたれ１０８は、背もたれ１０８の留め金具１２３をシートベース１０４上に設けられた横棒１２１と係合することによって、シートベース１０４に取り付け可能である。さらに、ベルト位置決めシート１０６は、格納位置でベルトガイド１２８と共にシートベース１０４上に設置可能である。ベルト位置決めシート１０６の設置は、ベルト位置決めシート１０６の引っ掛け部１５２をシートベース１０４における開口部１５８と係合すること、および、ベルト位置決めシート１０６が位置決め用空洞１２４Ａにおいて位置決めされ、かつコネクタ１５４がシートベース１０４の固着用細穴１６０に受けられるまで、下方に突出するコネクタ１５４と共に、位置決め用空洞１２４Ａの方へベルト位置決めシート１０６を回転させることを含むことが可能である。
コネクタ１５４が固着用細穴１６０に挿入すると、ばね１６６によって付勢された掛け金１６４はコネクタ１５４を係合できる。掛け金１６４およびコネクタ１５４、ならびに引っ掛け部１５２および開口部１５８のそれぞれの係合によって、ベルト位置決めシート１０６を適所にロックできる。それによって、シートベース１０４、ベルト位置決めシート１０６、および背もたれ１０８の組み付けによって、ベルト位置決めシート１０６に座る子供を受けることが可能である、図１および図２に示される子供用セーフティシート１００を形成できる。
【００２４】
年長の子供を座らせるために、背もたれ１０８はシートベース１０４から取り外し可能であるが、ベルト位置決めシート１０６はシートベース１０４に取り付けられたままである。それによって、シートベース１０４およびベルト位置決めシート１０６は、ベルト位置決めシート１０６に座る子供を受けることが可能である、図４および図５に示される背もたれがないブースターシートを形成できる。
【００２５】
子供が年をとるに従い、ベルト位置決めシート１０６は、シートベース１０４から取り外し可能であり、車両シートに子供を座らせるために、単独での使用が可能である。位置決めシート１０６をシートベース１０４から取り外すために、解除部分１６８は、掛け金１６４がコネクタ１５４から外れるように移動させるために押し動かされるように、作動させることが可能である。その後、ベルト位置決めシート１０６はシートベース１０４から取り外し可能である。
シートベース１０４から分離されたベルト位置決めシート１０６は、車両シートと接触しているシート本体１２６の底面１３２によって車両シート上に設置できる。コネクタ１５４は、空洞１５６で受けられるこの格納位置にすることが可能であり、ベルト位置決めシート１０６は車両シート上に置かれる。子供が、２つのベルトガイド１２８の間でシート本体１２６の上面１３０上に座った後、車両シートベルトは、上面１３０から上方に突出するようにベルトガイド１２８を通して延在し、かつ子供の身体に対して交差するように巻き付けるように設置可能であり、外方に配備されたベルトポジショナー１４６は、車両シートベルトの肩掛けベルトに連結できる。
ベルトガイド１２８は、２つのベルトガイド１２８の間で上面１３０に座る子供のサイズに適応するように自由に回転できる。例えば、それぞれのベルトガイド１２８の調節の範囲は、ベルトガイド１２８がシート本体１２６に略垂直に上方に上昇する鉛直位置と、ベルトガイド１２８が鉛直位置から約６０度外方に傾けられる外方傾斜位置との間で画成された約６０度の角度範囲を含むことが可能であるが、限定ではない。
【００２６】
先述した実施形態は、シートベース１０４上に設置されたベルト位置決めシート１０６が座る際の支持体としての役割を果たすことが可能である配置構成を提供する。しかしながら、他の配置構成が可能であってよいことは理解されるであろう。
図１４は、ベルト位置決めシート１０６を配置するための受け入れ領域１２４’がシートベース１０４の下面に、かつ２つのひじ掛け１１４の間に設けられる空洞１７０を含むことが可能である、別の例を示す斜視図である。使用されない時のベルト位置決めシート１０６は空洞１７０に格納できる。図１４の例では、シートベース１０４が車両シートに子供を座らせるために使用される時、子供は、シートベース１０４の上面に直接座ることが可能である。
【００２７】
本明細書に説明された構造の利点は、子供の年齢に従って異なる使用配置構成に変換可能な子供用セーフティシートを提供できるようにすることを含む。子供用セーフティシートは、完全な子供用セーフティシートを形成するために共に組み付けできる、または単独で使用するために分離できる、シートベース、背もたれ、およびベルト位置決めシートを含むことが可能であり、これによって、より大きな柔軟性を与え、かつ、子供用セーフティシートの耐用年数を伸ばすことが可能である。
【００２８】
子供用セーフティシートの実現は、特定の実施形態の文脈において説明されている。これらの実施形態は、例示であり、限定することを意味しない。多くの変形、修正、追加、および改良が可能である。これらのならびに他の変形、修正、追加、および改良は、この後の特許請求の範囲において画成されるように本発明の範囲内にあるとしてよい。
【図１】
2018111492.tif 000003
【図２】
2018111492.tif 000004
【図３】
2018111492.tif 000005
【図４】
2018111492.tif 000006
【図５】
2018111492.tif 000007
【図６】
2018111492.tif 000008
【図７】
2018111492.tif 000009
【図８】
2018111492.tif 000010
【図９】
2018111492.tif 000011
【図１０】
2018111492.tif 000012
【図１１】
2018111492.tif 000013
【図１２】
2018111492.tif 000014
【図１３】
2018111492.tif 000015
【図１４】
2018111492.tif 000016
【外国語明細書】
2018111492000001.pdf